(57)【特許請求の範囲】
【請求項１】
記録媒体が装着される装着部と、
前記装着部に装着された記録媒体のコンテンツ識別情報を検出するコンテンツ識別情報検出手段と、
前記コンテンツ識別情報検出手段が検出した前記コンテンツ識別情報に基づいて、コンテンツ情報を設定する設定手段と、
それぞれ前記コンテンツ識別情報で示されるコンテンツ情報が予め記録された記録媒体が複数個収納可能な収納部と、
前記収納部に収納された記録媒体のうち、前記設定手段が設定したコンテンツ情報と一致するコンテンツ情報が記録された記録媒体を排出する排出手段と、
を備え、
前記コンテンツ識別情報検出手段は、前記装着部に装着された前記記録媒体の外筐に形成されているコンテンツ識別情報を検出する
ことを特徴とする情報販売装置。
【請求項２】
操作情報が入力される入力部をさらに備え、
前記設定手段は、前記コンテンツ識別情報検出手段が、前記コンテンツ識別情報を検出できなかった際に、前記入力部から入力された前記操作情報が示すコンテンツ識別情報に基づいて、コンテンツ情報を設定することを特徴とする請求項１に記載の情報販売装置。
【請求項３】
操作情報が入力される入力部をさらに備え、
前記設定手段は、前記装着部に前記記録媒体が装着されていない状態において、前記入力部から入力された操作情報が示すコンテンツ識別情報に基づいて、コンテンツ情報を設定することを特徴とする請求項１に記載の情報販売装置。
【請求項４】
前記コンテンツ識別情報検出手段は、前記装着部に装着された前記記録媒体にデータとして記録されているコンテンツ識別情報を検出することを特徴とする請求項１に記載の情報販売装置。
【請求項５】
前記排出手段による前記記録媒体の排出に先立って、課金処理を行なう課金手段をさらに備えることを特徴とする請求項１に記載の情報販売装置。
【請求項６】
前記課金手段は、前記設定手段が設定したコンテンツ情報の種類に応じて決定される料金で課金処理を行なうことを特徴とする請求項５に記載の情報販売装置。
【請求項７】
前記装着部に装着されている前記記録媒体にコンテンツ情報が記録された回数を検出する記録回数検出手段と、
前記記録回数検出手段が、記録回数が所定回数以上であると検出したときに、前記装着部に装着されている前記記録媒体を廃棄すべき記録媒体として処理する廃棄手段と、
をさらに備えることを特徴とする請求項１に記載の情報販売装置。
【発明の詳細な説明】
【０００１】
【発明の属する技術分野】
本発明は不特定多数のユーザーが任意に使用して各種の情報を有料又は無料で入手できる情報販売装置に関するものである。
【０００２】
【従来の技術】
近年、各種情報をメディアに記録した電子情報形態で提供することが行われている。
例えば新聞、雑誌、小説などが電子出版物としてＣＤ−ＲＯＭなどに記録して販売されている。また音楽や映像（映画、ビデオクリップなど）、ゲームソフト、パーソナルコンピュータで用いるアプリケーションソフトウエアなども同様であって、非常に多様な範囲で、各種の情報（以下、メディアに記録されて提供される情報を本明細書では「コンテンツ」と総称する）が有料又は無料で提供されている。
【０００３】
【発明が解決しようとする課題】
ところで電子化されて提供されるコンテンツの中には、ユーザーが通常長期にわたって保存するもの（音楽ソフトやアプリケーションソフトウエアなど）もあれば、ユーザーが長期保存を必要ないと感じるものもある。
例えば新聞や週刊雑誌が電子化されて提供されることを考えると、ユーザーはその情報を１回見てしまえば後は不要となることが多い。
換言すれば、新聞や雑誌をパッケージメディアとして、長期保存性のあるディスクやカードの記録媒体で販売することは、実状にそぐわない。例えば１回内容を見てしまえばその情報だけでなくメディア自体も不要となってしまうため、資源の無駄な消費となってしまう。
【０００４】
一方、このように長期保存の必要のない情報に関しては、インターネットなどの通信によりユーザーが任意に自分の端末（パーソナルコンピュータなど）から検索したりダウンロードするということも行われている。しかしながらこの場合は当然、その情報内容をみるにはユーザーは端末を設置してある場所（自宅やオフィスなど）にいなければならない。また例えば携帯用のディスク再生装置などで任意の場所で情報内容をみたいと思った場合は、その端末からディスクメディアなどにさらにダウンロードしなければならない。
またこれも当然ながら、そのように通信を介して電子新聞などのコンテンツを得るには、通信ネットワークと接続された端末装置を所有する必要がある。
【０００５】
以上のような諸事情から、一般ユーザーが、電子新聞や雑誌などのコンテンツを記録したメディアを簡易に入手し、例えば携帯用の再生装置や自宅の端末装置などを用いて、任意の場所で内容を確認することができるようにすること、さらにメディア自体の無駄が生じないようにすることが求められている。
【０００６】
【課題を解決するための手段】
本発明は上記のような事情に鑑みて、例えば不特定多数の人が任意に使用して所望のコンテンツがダウンロードされた記録媒体を入手（購入）できるようにするとともに、その記録媒体自体も有効に利用できるようにすることを目的とする。
【０００７】
このために情報販売装置として、記録媒体が装着される装着部と、前記装着部に装着された記録媒体のコンテンツ識別情報を検出するコンテンツ識別情報検出手段と、前記コンテンツ識別情報検出手段が検出した前記コンテンツ識別情報に基づいて、コンテンツ情報を設定する設定手段と、それぞれ前記コンテンツ識別情報で示されるコンテンツ情報が予め記録された記録媒体が複数個収納可能な収納部と、前記収納部に収納された記録媒体のうち、前記設定手段が設定したコンテンツ情報と一致するコンテンツ情報が記録された記録媒体を排出する排出手段とを備えるようにする。
【０００８】
即ち、ユーザーが欲するコンテンツを記録した記録媒体がユーザーに販売されるような形態の情報販売装置を実現するものであるが、その販売形態としては、ユーザーが挿入した記録媒体に提示されたコンテンツ識別情報に基づいて、ストックしておいた記録媒体の中で、該当するコンテンツが予め記録されていた記録媒体を取り出して排出（つまりメディアの交換によるコンテンツの販売）する。または、ユーザーが挿入した記録媒体からコンテンツが判別できなかった場合、もしくはユーザーが記録媒体を挿入しなかった場合は、ユーザーの入力に応じて特定のコンテンツを選択設定し、ストックしておいた記録媒体の中で、該当するコンテンツが予め記録されていた記録媒体を取り出して排出（つまりメディアの交換によるコンテンツの販売、又はメディアとコンテンツの販売）する。
【０００９】
またコンテンツ識別情報とは、記録媒体内にデータとして記録された情報や、例えば記録媒体のカートリッジ上に表現された情報（例えば孔部やスライドスイッチなどで機械的な形状として表現される情報）とし、コンテンツ識別情報検出手段はそのようなコンテンツ識別情報の内容を検出できるようにする。
【００１０】
【発明の実施の形態】
以下、本発明の実施の形態としての情報販売装置及び記録媒体について、次の順序で説明する。なお、記録媒体の実施の形態としてディスクメディアとＩＣカードメディアの２例をあげ、対応する情報販売装置としても各メディアに対応する装置例を説明する。
１．システム形態
２．メディア
３．ディスク対応型情報販売装置の構成
４．ディスク対応型情報販売装置に対する使用手順
５．ディスク対応型情報販売装置の処理
６．ＩＣカード対応型情報販売装置
７．変形例
【００１１】
１．システム形態
図１で実施の形態のシステム形態の例を説明する。
図１に示すように本例のシステムは、複数の情報販売装置１とサーバ２が通信回線３で接続されて構成される。
通信回線３は例えばＬＡＮ（Local Area Network）として、当該システムのために構築された通信網でもよいし、一般公衆電話回線網でもよい。また衛星通信手段など無線通信回線でもよい。
【００１２】
情報販売装置１は、店頭、駅、学校、会社等、或る程度の不特定多数の人の使用が可能となるような場所に配置される。
そして後述するように、各ユーザーはその情報販売装置を使用して、リムーバブルな記録媒体であるディスク９０又はＩＣカード９１の形態で、所望のコンテンツを購入できる。なお、記録媒体の例としては例えばＩＣカード自体に表示機能を備えたようなビューワ付ＩＣカード９１Ｖも考えられる。
【００１３】
そして電子新聞、電子雑誌等のコンテンツがダウンロードされたディスク９０又はＩＣカード９１を入手することで、ユーザーは自分の所有するパーソナルコンピュータや携帯用の再生装置で、そのコンテンツの内容を見聞きすることができる。
またビューワ付ＩＣカード９１Ｖを入手することを考えると、電子新聞、電子雑誌等のコンテンツの内容を、ユーザーはそのビューワ付ＩＣカード９１Ｖを所持しているのみで確認できる。例えば操作部１０１を操作して表示部１００にコンテンツの内容を表示させることができる。もちろんビューワ付ＩＣカード９１Ｖに音声再生機能をさらに備えるようにすれば、音声データを含むコンテンツについても、見聞きすることができる。
つまり情報販売装置は、情報（コンテンツ）の自動販売機のような機能を持つことになる。
【００１４】
なお、コンテンツの入手のために、どのような記録媒体が用いられるかは限定されるものではないが、例えばディスク９０、ＩＣカード９１（９１Ｖ）を例にあげるとすると、情報販売装置１としてはディスク９０に対応する情報販売装置、ＩＣカード９１（９１Ｖ）に対応する情報販売装置が、それぞれ設けられることになる。
【００１５】
また本例において記録媒体としては、ユーザーが個人的に購入して所有するものではなく、情報販売装置１を介して多数の人に使い回し使用される（例えばメディア自体は貸与のような形態となる）ものとする。
【００１６】
サーバ２は、各所に設置された情報販売装置１の管理や、情報販売装置１に用意させるコンテンツの提供、ユーザーの使用に対する料金徴収管理などを行う。例えばユーザーが情報販売装置１を使用して入手する情報について更新が必要なものについては、サーバ２は通信回線３を介して定期的に、もしくは不定期に、更新データを供給し、情報販売装置１側での更新を実行させる。
例えば日刊の電子新聞等を考え、ユーザーが毎日（もしくは所望のときに）、ディスク９０として電子新聞としての情報を入手できるようにする場合、例えばその電子新聞が発行される毎に、新しい内容の電子新聞データを各情報販売装置１に送信して更新させる。
このような更新を実行させることで、多数の情報販売装置１に対して即時的に、かつ情報販売装置１について人手を介することなく、最新のデータをユーザー提供用途に用意できる。
【００１７】
詳しくは後述するが、情報販売装置１は各種のコンテンツがダウンロード済の多数の記録媒体をストックしているとともに、記録媒体にコンテンツデータをダウンロードするドライブ機能も備えている。
従って必要に応じて更新されたコンテンツを、ストックされている記録媒体にダウンロードしていくことで、常に最新のコンテンツ内容が記録された記録媒体をユーザー提供用に用意しておくことができる。また販売状況に応じたフレキシブルな記録媒体の在庫管理も可能となる。例えば或るコンテンツが記録された記録媒体を、他のコンテンツに書き換えてコンテンツ毎の在庫数の調整などができる。
【００１８】
なおコンテンツデータの更新方式は、このような通信回線３を介しての更新のみでなく、例えばディスク等により更新データを配布し、各情報販売装置１が設置されている場所での係員（その店の店員等）がその配布されたディスクを情報販売装置１に装填することで、ダウンロードデータの内容が更新されるようにしてもよい。
【００１９】
ところでユーザーが情報販売装置１を使用する際の料金支払形態は、次のように各種考えられる。
まず情報販売装置１の使用を一般公衆（もしくは或る組織内の人のみに限って）に無料提供することは可能である。無料提供としては例えば学校内に数カ所情報販売装置１を配置し、その学校の生徒や職員が自由に情報販売装置１を使用して所望のコンテンツを入手できるようにする場合などの例が考えられる。
【００２０】
有料とする場合は、ユーザーがサーバ２に対して支払い登録を行うことによるクレジットカード（銀行口座など）からの引き落としによる支払いや、通貨やプリペイドカードによる支払い、クレジットカード装填による支払いなどが考えられる。
【００２１】
支払い登録によるクレジットカード支払いについては、例えばサーバ２が管理を行う。
例えばユーザーは予め情報販売装置１の利用に対する支払いをクレジットカードで行う旨の登録手続を行う。
サーバ２がその登録手続を受け付けると、以降ユーザーは通貨やプリペイドカードを持たなくても情報販売装置１を利用できる。
この場合、情報販売装置１の使用に際しては、そのユーザーについて、情報販売装置１及びサーバ２の双方で厳重なチェックが行われる。そしてそのチェックがＯＫであれば使用可能となる。このチェックに関しては、登録の際のユーザーＩＤやパスワード等が用いられる。
【００２２】
通貨（コイン又は紙幣）やプリペイドカードによる支払いの場合は、情報販売装置１は投入されたコイン又はプリペイドカードに対して料金徴収処理を行う。
【００２３】
また料金支払形態として、近年設置されている公衆電話の例にみられるものと同様に、クレジットカードを直接情報販売装置１に装填して使用するような方式も考えられる。もちろんこの場合、情報販売装置１にクレジットカード対応処理機能が搭載されていなければならない。
【００２４】
なお課金される使用料金とは、情報販売装置１を用いて入手したコンテンツの情報料となる。
また記録媒体に関する料金としては、例えばユーザーが最初に使用するときはいくらかの補償金のようなかたちで課金されるものとする。そして次回からの使用時は後述するように交換されることになるためメディア自体の料金は課金されないようにすることが考えられる。また、メディアを返却することで補償金の全部又は一部がユーザーに払い戻されるようなかたちを採ってもよい。
【００２５】
即ち、本システムでユーザーに課金される料金は、ほぼコンテンツとしての情報料のみとすることができ、料金を安価に設定することも可能となる。
【００２６】
ところで、図１のようなシステム構成要素や料金支払い形態は、これから説明する具体的な構成や動作機能に対応したシステムとしての一例にすぎない。
特にシステムを構成する組織の形態（サーバシステムとしての数や種類）などは非常に多様に考えられ、それに応じてネットワーク接続形態や、料金徴収方式などは各種多様に形成されることになる。
【００２７】
２．メディア
次に、本例のシステムで用いられる記録媒体（ディスク９０、ＩＣカード９１，９１Ｖ）のデータ内容、及びビューワ付きＩＣカード９１Ｖの構成について説明する。
【００２８】
ユーザーは情報販売装置１に対応したメディアを装填することで、所望のコンテンツがダウンロードされている他のメディアを入手できる。またはメディアを装填しなくても、コンテンツを指定することで、所望のコンテンツがダウンロードされているメディアを入手できる。
【００２９】
本例のシステムで用いられるディスク９０又はＩＣカード９１（９１Ｖ）としては、データ書換可能であることが必要であるが、さらにデータ書換不能な領域を有することが好ましい。このために、一部が再生専用データ領域、もしくはライトプロテクトされている領域とされたメディアとされる。以下、再生専用データ領域もしくはライトプロテクト領域をＲＯＭ領域と総称し、一方、書換可能とされている領域をＲＡＭ領域ということとする。
【００３０】
図２は、本例の記録媒体、つまりディスク９０又はＩＣカード９１（９１Ｖ）に記録されるデータ内容を示している。
まずＲＯＭ領域、つまりユーザーが書き換え不可能とされるに領域には、情報販売装置１に対応するメディアであることを示す識別コードが記録される。
このように情報販売装置対応の識別コードが記録されたディスク９０又はＩＣカード９１（９１Ｖ）が情報販売装置１に装填されることで、情報販売装置１はシステムに対応した適正なメディアが装填されたと判断する。
【００３１】
ＲＡＭ領域に記録される情報としては、まずシリアルナンバ、ダウンロードコンテンツＩＤ（以下、コンテンツＩＤという）、ダウンロード履歴、書込位置ポインタ（以下、ポインタという）があり、これらの情報と上記対応メディア識別コードが、メディアが情報販売装置１に提示する提示情報と位置づけられる。
また、ＲＡＭ領域には、実際にコンテンツをダウンロードするためのダウンロード領域が用意され、また記録されたコンテンツを管理するディレクトリとしてのダウンロードファイル管理情報が記録される。
【００３２】
まずシリアルナンバは、メディアが出荷される直前において、１つ１つのメディア毎にとおし番号として割り振られる、各メディアに固有のナンバとなるコードである。
【００３３】
コンテンツＩＤは、或る特定のコンテンツを識別するコードである。例えばＡ新聞、Ｂ雑誌のように、コンテンツとして情報販売装置１で用意されている具体的な商品を示す。
個々のメディアにおいてコンテンツＩＤは１個だけでなく複数個記録されるようにしてもよいし、またコンテンツＩＤは記録されていないメディアも考えられる。
後述するようにコンテンツＩＤが記録されていれば、情報販売装置１はそのコンテンツＩＤからユーザーが購入したいコンテンツを判断できる。即ちユーザーは情報販売装置１の使用に際して購入したいコンテンツを選択する操作は不要となる。
【００３４】
ダウンロード履歴としては、少なくともそのメディアにダウンロードが行われた回数情報が記録される。即ちメディアに対して情報販売装置１で或るコンテンツのダウンロードが実行される毎に、情報販売装置１は回数情報を書き換え（インクリメント）ていくことで、過去のダウンロード回数が表示される。
なお、回数情報だけでなく、情報販売装置１の使用日時、ダウンロードしたコンテンツ名、ダウンロードに伴って課金される料金情報などを記録するようにしてもよい。これらはシステム側での管理に利用できる情報となる。
【００３５】
ポインタは、ダウンロード領域においてダウンロードすべきエリアのアドレス（先頭位置アドレス）となる。
例えば情報販売装置１は、そのメディアにダウンロードする際に、ポインタに示されるアドレスからコンテンツのダウンロード記録を行うようにする。
またダウンロードした後は、次のダウンロードに備えて、ポインタの値を他のアドレスに更新する。
これによって、例えばダウンロード毎にダウンロード領域内の異なる領域が使用されるようにすることができ、同一箇所が何度も書き換えられることでメディアの一部の領域に劣化が生じ、信頼性が低下することを防止できる。
【００３６】
メディアには例えば以上のように各種情報が記録される。
なお、シリアルナンバ、コンテンツＩＤ、ダウンロード履歴、ポインタは、ユーザーが勝手に書き換えることができないようにする。そして必要に応じてこれらは情報販売装置１が変更できるようにする。
【００３７】
ところで、本例では記録媒体の例としてディスク９０、ＩＣカード９１（９１Ｖ）をあげているが、例えばテープ状記録媒体などの他の種のデータ書込可能な記録媒体を用いることも可能である。
また、図２にあげた各種のデータ内容は一例であり、必ずしも全てのデータが必要となるものではないし、また他の必要な情報が記録されるようにしてもよい。
【００３８】
ここでビューワ付ＩＣカード９１Ｖについて図３で説明する。
ビューワ付ＩＣカード９１Ｖは、いわゆる通常のＩＣカードとしてのメモリ領域（例えばＳ−ＲＡＭ）などに加えて、そのカード自体が表示機能を有するものとしている。
ビューワ付ＩＣカード９１Ｖは、外形形状、サイズ、コネクタ構造等をＩＣカード９１と同様として、後述するＩＣカード対応の情報販売装置１において、ＩＣカード９１とビューワ付ＩＣカード９１Ｖがどちらも使用可能としてもよいし、ビューワ付ＩＣカード９１Ｖの外形等は通常のＩＣカード９１とは異なるものとして、ビューワ付ＩＣカード９１Ｖに対応する情報販売装置を用意するものとしてもよい。
【００３９】
ビューワ付ＩＣカード９１Ｖの内部構成は例えば図３のようになり、表示部１００、操作部１０１、ＣＰＵ１０２、メモリ１０３、コネクタ部１０４、表示ドライブ部１０５が設けられる。表示部１００は例えば液晶パネルなどの小型かつ薄型のデバイスが用いられる。操作部１０１は、図１に示したようにカード筐体上の各種操作キーとして形成される。
メモリ１０３は、ＩＣカードとしての記憶領域を構成し、例えばＳ−ＲＡＭにより形成される。このメモリ１０３内のデータ内容は図２に示したようなものとなる。
コネクタ部１０４は、情報販売装置１に装填された際に、図１４で説明する内部のカードコネクタ部３４と接続され、データの書込、読出のための送受信が行われる。
【００４０】
ＣＰＵ１０２は、メモリ１０３に対するデータ読出、データ書込動作の制御を行う部位となる。さらにデータ読出としては図２で説明したいわゆる各種の提示情報を情報販売装置１側への送信のための読出制御の他、ダウンロードされてメモリ１０３に記憶されているデータを表示部１００で表示させるための読出制御も行うこととなる。
ＣＰＵ１０２は、操作部１０１からの操作に応じてメモリ１０３からのコンテンツデータ等の読出を行い、表示のためのデータを表示ドライブ部１０５に送信する。表示ドライブ部１０５は、ＣＰＵ１０２からのデータに基づいて表示部１００に表示動作を実行させる。
これにより、このビューワ付ＩＣカード９１Ｖは、それ自体でダウンロードされたコンテンツ等を表示出力させることができ、ユーザーはパーソナルコンピュータや携帯用の再生装置を用いなくてもコンテンツ内容を見ることができる。
もちろん上述したように音声出力部（例えばヘッドホン出力系やスピーカ出力系）を備えて音声出力可能としてもよい。
【００４１】
３．ディスク対応型情報販売装置の構成
本例の情報販売装置１としてはディスク対応型とＩＣカード対応型を例にあげているが、まずディスク対応型の情報販売装置について説明していく。
図４にディスク対応型の情報販売装置１の外観例を示す。
この情報販売装置１は公衆の使用を前提として店頭などに設置されるもので、例えば通常の公衆電話と類似した外観を備える例としている。
図示するように、情報販売装置１には前面上部に液晶パネルもしくは陰極線管（ＣＲＴ）などを利用した表示部１１が形成され、情報販売装置１の使用の際の各種の画像表示が行われる。
【００４２】
なお、ユーザーが情報販売装置１を使用する場合には、例えば操作キーのような入力手段が必要となるが、この構成例では、操作キー等の機械的な入力キーは形成されない。
詳しくは後述するが、本例では表示部１１の画面上においてユーザーが指などで触れた位置を検出するタッチセンサ機構（図５のタッチセンサ３３）が設けられているとともに、表示部１１には必要な各種操作キー等の表示が行われる。即ち、ユーザーは表示部１１に表示された画像における各キーを押す動作を行うことで各種操作入力を行うことができるようにされている。
但し、もちろんキーボード等の機械的な入力キー部やマウスなどの入力機構が用意されてもかまわない。さらに音声認識機構を設けて音声入力が可能とするようなことも考えられる。
【００４３】
情報販売装置１の使用時には、ユーザーが所持するディスク９０を装填する場合があるが、このディスク９０を挿入する部位としてディスク挿入部１２が設けられている。
ディスク挿入部１２からユーザーがディスク９０を入れることで内部機構によりそのディスク９０がディスクドライブ（図５のディスクドライブ２４）に装填される状態とすることができ、情報販売装置１はディスク９０に対する記録再生動作が可能となる。
またユーザーが、所望のコンテンツがダウンロードされたディスク９０を受け取るためにディスク排出部１３が用意されている。
【００４４】
情報販売装置１の使用に際しての、ユーザーの料金支払形態としては、上述したようにクレジットカード登録による支払い、通貨、プリペイドカード、クレジットカードの投入による支払いなどがあるが、説明の簡略化のため、本例ではクレジットカード登録による支払い、及びクレジットカードの投入による支払いには対応できないものとする。
そして情報販売装置１では通貨／プリペイドカードによる支払いに対応するために、図示するようにコイン挿入部１５、プリペイドカード挿入部１６が設けられている。
なお、コイン投入で使用される場合の釣り銭の返却のためにコイン返却口１４が用意されている。
【００４５】
図５はディスク対応型情報販売装置１の内部構成を示している。
コンピュータ／ネットワークコンピュータ２０（以下コンピュータ２０という）は、情報販売装置１がダウンロード及びその他の必要な各種処理を行うための装置部であり、演算／制御処理を行うＣＰＵ、主記憶領域としてのＲＡＭ部、ＯＳ（Operating System）その他のプログラムを保持するＲＯＭ部、情報販売装置１内の各部に対するインターフェース機能、ネットワーク７や電話線８に対するインターフェース機能等を備える。
また内部記憶媒体としてハードディスクドライブ（以下、ＨＤＤ）２１を有している。
【００４６】
ディスク搬送機構２２は、ディスク挿入部１２、ディスク排出部１３、ディスクドライブ２４、ディスクストッカ２３の間で、コンピュータ２０の指示に応じて所要のディスクを所要の部位に搬送する機構である。
例えばディスク挿入部１２から挿入されるディスク９０は、ディスク搬送機構２２によってディスクドライブ２４に装填され、記録／再生可能とされる。即ちディスク挿入部１２からのディスク９０の挿入が検出されたらコンピュータ２０はディスク搬送機構２２に、そのディスク９０をディスクドライブ２４に搬送するように指示することになる。
【００４７】
ディスクストッカ２３には、予めコンテンツがダウンロードされた多数のディスクがストックされている。
例えば情報販売装置１が、Ａ新聞、Ｂ新聞、Ｃ新聞、Ｄ新聞、Ｅ新聞のそれぞれをコンテンツとして提供できるものと仮定すると、ディスクストッカ２３には図６のように、各コンテンツが既にダウンロードされたディスク９０が、それぞれ多数収納されている。また、何もダウンロードされていない状態（初期化状態）のディスク９０や、廃棄処分と認定されたディスク９０も収納されている。
【００４８】
そして、ユーザーがディスク９０を挿入した場合、もしくはディスク９０を挿入しないでコンテンツの購入の操作をした場合は、コンピュータ２０は、ディスク搬送機構２２に、求められたコンテンツが既にダウンロードされているディスク９０をディスクストッカ２３から取り出させ、ディスク排出部１３に搬送させることで、ユーザーに提供する。
また、ディスクストッカ２３から未ダウンロードディスクをディスクドライブに搬送させて、その未ダウンロードディスクに所要のコンテンツをダウンロードさせ、ディスク排出部１３からユーザーに提供したり、或いはダウンロード済のディスクとしてディスクストッカ２３にストックさせることができる。
【００４９】
さらに、ユーザーが挿入したディスク９０については、コンピュータ２０は後述するように、そのディスク９０を初期化したり必要なコンテンツをダウンロードさせたりした後、ディスク搬送機構２２にディスクストッカ２３に搬送させ、再利用用途として所定位置に収納させる。
【００５０】
なお、ディスクストッカ２３に収納される、Ａ新聞、Ｂ新聞、Ｃ新聞・・・等がダウンロードされたディスク９０としては、サーバ２がそのディスク自体（つまり予めダウンロードされたディスク）を情報販売装置１に配布して、係員がディスクストッカ２３に装填するようにしてもよい。また、更新データとしてのコンテンツが通信回線３を介してサーバ２からＨＤＤ２１に提供される場合は、コンピュータ２０がディスクストッカ２３内の各ディスク９０を逐次ディスクドライブ２４に装填させ、記録されているコンテンツ内容を更新して再びディスクストッカ２３に戻すような処理を行うものとしてもよい。このような動作例は、情報販売装置１の待機中の処理として後述する。
【００５１】
ディスクドライブ２４内に装填されたディスク９０に対しては、ディスクドライブ２４は、コンピュータ２０からのリード／ライト要求に従って記録／再生動作を行なうことができる。
即ち、コンピュータ２０がリードコマンド、読出位置アドレス、データ長等をディスクドライブ２４に送信することで、ディスクドライブ２４はその指示に応じた読出動作を行い、読出データをコンピュータ２０に送る。例えばユーザーがディスク９０を挿入した場合は、コンピュータ２０はそのディスク９０を、ディスク搬送機構２２によってディスクドライブ２４に装填させ、読出動作を指示して図２に示したような提示情報としての各種情報を読み取らせる指示を行うことになる。これに応じてディスクドライブ２４は、各種提示情報としてのデータを読み出し、コンピュータ２０に転送する。
【００５２】
またコンピュータ２０がライトコマンド、書込位置アドレス、データ長、及び書き込むべきファイルデータ等をディスクドライブ２４に送信することで、ディスクドライブ２４はその指示に応じた書込動作を行い、送信されてきたデータファイルをディスク９０に記録する。
即ち或るディスク９０に対してコンテンツのダウンロードを行う場合は、コンピュータ２０はそのコンテンツとしてのデータを書込データとして供給するとともに上記書込制御を行って、ディスクドライブ２４にディスク９０に対するダウンロードを実行させる。
【００５３】
表示部１１においてはいわゆるダウンロード処理／操作のモニタ画面として、ＧＵＩ画像やメニュー画像、操作ガイド等の表示が行われる。コンピュータ２０は表示ドライバ２５に対して表示すべき情報を与え、表示ドライバ２５が表示部１１に対する表示を実行する。
コンテンツ購入の際のユーザーの操作に必要な操作入力キーは、表示部１１における表示により表現され、タッチセンサ３３による画面に対する押圧位置が検出されることに応じて操作入力内容が検出される。
【００５４】
即ちコンピュータ２０は表示部１１にキーボード表示やメニューアイコン表示、ファンクションキー表示などを実行させる一方、タッチセンサ３３による画面に対するユーザーの押圧位置を監視している。
タッチセンサ３３は画面上の平面方向の位置を例えばｘ、ｙ座標で検出し、ユーザーが画面上の或る位置に触れた場合は、その座標データをコンピュータ２０に供給する。
コンピュータ２０は座標データが供給されたら、そのとき表示部１１に表示させている内容において、その座標データの位置に対応する操作子（キーなどの画像）を判別する。そしてその判別された操作子による操作内容が入力されたと判断する。
従ってコンピュータ２０が、例えば操作キーを模した画像を表示部１１に表示させた場合は、ユーザーはその画面上の操作キーに触れていくことで各種の入力を行うことができる。
【００５５】
この例の情報販売装置１は、ＬＡＮインターフェース２７を備え、通信回線３としてのネットワークと接続される。これによりコンピュータ２０は図１に示したようにサーバ２とデータ通信を行うことができる。
また、コンピュータ２０はモデム２９を介して通信回線３としての電話線と接続されることで、電話線を介したデータ通信も可能とされている。
なお、電話線と接続されるようにすることで、例えばこの情報販売装置１を公衆電話として兼用させることも可能となる。その場合は送受話器１８や所定の電話処理回路系を設ければよい。
【００５６】
またこの情報販売装置１は上述のようにコイン投入支払いに対応するために、コイン処理部３０が設けられ、コイン挿入部１５から投入されたコインによる料金徴収処理や釣り銭の返却処理を行う。
プリペイドカード処理部３１はプリペイドカード挿入部１６から挿入されたプリペイドカードによる料金徴収処理を行う。例えば徴収する料金に応じたプリペイドカードの磁気データの更新やパンチング等の処理を行う。
【００５７】
情報販売装置１は例えば以上のように構成されるが、このすべての構成要素は必ずしも必要ではなく、また例示していない構成要素を設けてもよい。
他の構成要素を付加する例としては、プリンタ部を配置し、情報販売装置１使用時に印刷出力を可能とすることが考えられる。もちろん情報販売装置１とは別体でプリンタ装置が接続配置されるようにしてもよい。
また、パワーアンプやスピーカ装置を備え、コンテンツとしての音楽などが提供される場合は、ユーザーがその場で試聴できるようにしても良い。
【００５８】
さらに情報販売装置１の使用を無料とする場合は、コイン挿入部１５、コイン処理部３０、プリペイドカード挿入部１６、プリペイドカード処理部３１は、当然ながら不要となる。
【００５９】
４．ディスク対応型情報販売装置に対する使用手順
本例の情報販売装置１に対するユーザーの使用手順について図７で説明する。
ユーザーが情報販売装置１を使用する場合は、ユーザーが自分の所持しているディスク９０を用いる使用形態と、ディスク９０を用いない使用形態とがある。
これらのそれぞれについて使用手順を説明する。但し、ここで示す手順は基本的な手順のみであり、ディスクの状況やディスクストッカ２３での在庫状況により手順が異なるものとなることもある。
【００６０】
ユーザーがディスク９０を所持していない場合では、Ｓ２１〜Ｓ２４で示す手順で使用する。
ユーザーはまず情報販売装置１の表示部１１に表示されている初期画面から、使用を行う旨の操作を行う。すると情報販売装置１（コンピュータ２０）は、ディスク挿入のない場合としての処理モードに入る。例えばこのとき、表示部１１に購入可能としてメニュー表示されるコンテンツから所望のコンテンツを選択するように求められ、ユーザーはタッチ操作で購入したいコンテンツを選択する（Ｓ２２）。
【００６１】
ユーザーは続いて料金投入処理として、コインやプリペイドカードの投入を行う（Ｓ２３）。例えば選択したコンテンツに応じた料金が表示部１１に表示され、料金投入を求められることに応じて料金投入を行う。なお、ディスク９０が用いられない場合は、本例ではそのユーザーにディスク９０が貸与されるような形態となり、従って料金にはディスク９０の補償金も含まれる。
【００６２】
料金が投入されると、コンピュータ２０は、選択されたコンテンツが既にダウンロードされているディスク９０をディスクストッカ２３から取り出し、ディスク排出部１３から排出させるため、ユーザーはそのディスク９０を受け取ればよい（Ｓ２４）。
以上のように、ユーザーは例えば通常の自動販売機のような手順で、所望のコンテンツが記録されたディスク９０を受け取ることができる。
【００６３】
例えばこのように一度情報販売装置１を使用すると、ユーザーはそのとき購入したコンテンツとともに、ディスク９０が入手できたものとなる。すると次回からは、そのディスク９０を挿入して情報販売装置を使用することで、コンテンツの購入料金のみを支払えばよいものとなる。
【００６４】
ディスク９０を挿入する場合の手順はＳ１１〜Ｓ１４で示される。
ユーザーはまずディスク９０をディスク挿入部１２から挿入する（Ｓ１１）。ここで、ディスク９０にコンテンツＩＤ（図２（ｂ）参照）が記録されているか否かで手順が異なる。
コンテンツＩＤが記録されていれば、情報販売装置１（コンピュータ２０）は、そのコンテンツＩＤで示されるコンテンツがユーザーの求めるコンテンツであると判断するため、ユーザーが購入したいコンテンツを選択することは不要となる。一方、コンテンツＩＤが記録されていない場合は、表示部１１に購入可能としてメニュー表示されるコンテンツから所望のコンテンツを選択するように求められ、ユーザーはタッチ操作で購入したいコンテンツを選択する（Ｓ１２）。
【００６５】
コンテンツＩＤもしくは選択操作によってコンテンツが選択設定されると、ユーザーは続いて料金投入処理として、コインやプリペイドカードの投入を行う（Ｓ１３）。例えば選択設定されたコンテンツに応じた料金が表示部１１に表示され、料金投入を求められることに応じて料金投入を行う。なおこの場合は、ユーザーは過去にディスク９０の貸与にかかる補償金を払っていることになるため、料金にはディスク９０の補償金は含まれない。
【００６６】
料金が投入されると、コンピュータ２０は、選択設定されたコンテンツが既にダウンロードされているディスク９０をディスクストッカ２３から取り出し、ディスク排出部１３から排出させるため、ユーザーはそのディスク９０を受け取ればよい（Ｓ１４）。このとき、ディスク９０自体はユーザーが挿入したものとは異なるものとなる。つまりディスク９０は交換されたことになる。
【００６７】
なお、ディスク９０においてコンテンツＩＤが記録されている場合とは、そのディスク９０が或る特定のコンテンツのダウンロード専用とされるような場合である。
例えばＡ新聞を示すコンテンツＩＤが記録されたディスク９０を用意することを仮定すれば、ユーザーはそのディスクを装填すれば、同じくＡ新聞を示すコンテンツＩＤが記録されたディスクであって、その日のＡ新聞の内容としてのコンテンツが記録されているディスクを受けとることができる。つまり、このように或る特定のコンテンツに専用化すると、ユーザーは情報販売装置使用時にいちいち選択操作をする必要はなく、例えば同一の新聞のコンテンツを毎日購入したいようなユーザーにとって便利なものとなる。
【００６８】
５．ディスク対応型情報販売装置の処理
上記の手順での使用を実現して、ユーザーに要求されたコンテンツを提供するための情報販売装置１のコンピュータ２０の処理について、図８から図１０のフローチャートで説明していく。
【００６９】
図８のステップＦ１０１として、情報販売装置１は、設置場所において表示部１１に初期画面を表示した状態で待機している。
初期画面の例は各種考えられるが、例えばその情報販売装置１で購入可能なコンテンツのメニュー画像や、ディスク挿入もしくはディスク無しでの使用を選択する操作を求める表示を行っておけばよい。
【００７０】
コンピュータ２０は、ステップＦ１０１で初期画面を表示させた状態で、ステップＦ１０２，Ｆ１０３の監視処理を行う。つまりディスク９０を挿入しないでコンテンツを購入する操作が行われたか、もしくはディスク９０が挿入されたかを監視する。
【００７１】
初期画面に対してユーザーが、ディスク９０を用いないでコンテンツを購入する旨（つまり上記図７の手順Ｓ２１〜Ｓ２４が実行される場合）の操作を行った場合は、処理をステップＦ１０２から▲３▼として示すように図１０のステップＦ１２８の処理に進む。
そして表示部１１にコンテンツ選択画面として、購入可能なコンテンツのメニュー、及び選択を求める表示を行う。
コンピュータ２０はこのステップＦ１２８の表示を行いながらユーザーの選択操作を待機しており、或るコンテンツの選択操作が行われたらステップＦ１２９からＦ１３０に進む。そして選択操作内容を判別して特定のコンテンツが選択されたと設定する。
【００７２】
続いてステップＦ１３１で課金処理を行う。即ち選択設定されたコンテンツの代金及びディスク９０の貸与に伴う補償金を、表示部１１でユーザーに提示し、その料金の投入を求める。そしてユーザーがコイン又はプリペイドカードの投入することを待ち、投入があったらコイン処理部３０又はプリペイドカード処理部３１に所要の課金処理を実行させる。
なお、この課金処理の際に、ユーザーがキャンセル操作を行うこともできるようにする。そしてユーザーがキャンセル操作を行った場合、もしくは料金投入が行われないまま所定時間経過した場合は、課金処理ＮＧとしてステップＦ１３２から▲１▼として示すように図８のステップＦ１０１に戻る。つまり処理は中止として終了される。
【００７３】
料金投入が適正に行われ、課金処理ＯＫとなったら、処理はステップＦ１３２からＦ１３３に進む。
ここでコンピュータ２０は、選択設定されたコンテンツが記録されているディスク９０が、ディスクストッカ２３に有るか否かを確認する。つまり在庫確認である。
該当するディスク９０がディスクストッカ２３に有れば、ステップＦ１３４でコンピュータ２０は、ディスク搬送機構２２を制御してそのディスク９０をディスクストッカ２３から取り出させ、ディスク排出部１３に搬送させる。即ちこれによってユーザーは所望のコンテンツが記録されたディスク９０を受け取ることができる。そしてコンピュータ２０の処理は終了され図８のステップＦ１０１に戻る。
【００７４】
ところが、特定のコンテンツのみが集中的に購入されて売り切れとなった場合などで、該当するディスク９０がディスクストッカ２３にない場合は、コンピュータ２０はステップＦ１３５に進み、ディスクストッカ２３から未ダウンロードディスクを取り出してディスクドライブ２４に装填させるようにディスク搬送機構２２を制御する。そしてディスクドライブ２４に記録動作指示を行うとともにＨＤＤ２１に格納してあるコンテンツデータを供給し、装填されたディスク９０に対して、該当するコンテンツをダウンロード記録させる。
なお、この場合のコンテンツの記録は、そのディスク９０に記録されたポインタによって示される位置に実行させる。
【００７５】
またステップＦ１３６では、コンテンツのダウンロード記録に応じて、そのディスク９０のファイル管理情報（図２参照）を更新し、コンテンツがユーザーサイドの機器で再生できるようにする。
さらにステップＦ１３７で、ディスク９０の履歴情報（ダウンロード回数情報）を更新（インクリメント）するとともに、ポインタの値を、次回のダウンロード時の書込位置アドレスを示す値に更新する。
【００７６】
このステップＦ１３５，Ｆ１３６，Ｆ１３７の処理で、ユーザーが求めるコンテンツが、或る未ダウンロードディスクにダウンロードされたことになる。そしてコンピュータ２０はステップＦ１３８で、ディスク搬送機構２２を制御してそのディスク９０をディスクドライブ２４から取り出してディスク排出部１３に搬送させる。即ちこれによってユーザーは所望のコンテンツが記録されたディスク９０を受け取ることができる。
これによりコンピュータ２０の処理は終了され、図８のステップＦ１０１に戻る。
【００７７】
図８のステップＦ１０１の初期画面表示状態から、ユーザーがディスク９０をディスク挿入部１２に挿入した場合は、コンピュータ２０の処理はステップＦ１０３からＦ１０４に進むことになる。
まずコンピュータ２０はディスク搬送機構２２に挿入されたディスクをディスクドライブ２４に装填させるように指示し、装填されたら、ディスクドライブ２４にデータリード指令を出して、そのディスク９０の提示情報を読み込ませる。即ち図２で説明した識別コードその他の提示情報を読み込ませる。
【００７８】
ステップＦ１０５でコンピュータ２０は読み込まれた提示情報のうち、まず対応メディア識別コードを確認し、その挿入されたディスクが当該情報販売装置１に対応するディスクであるか否かを判別する。
もし適切な対応メディア識別コードが読み込めなかった場合は、そのディスクは情報販売装置１に対応しないディスクである（ディスクエラー）と判断する。そしてステップＦ１０５からＦ１０６に進んで表示部１１にディスクエラーの旨を表示してユーザーに伝えるとともに、ステップＦ１０７でそのディスクを返却する。即ちディスク搬送機構２２に、ディスクドライブ２４に装填されているディスクをディスク排出部１３に送るように指示する。そしてステップＦ１０１に戻る。つまり処理を終了する。
【００７９】
挿入されたディスクについて識別コードが適正に確認された場合は、ステップＦ１０５から▲２▼として示すように図９のステップＦ１０８に進む。
【００８０】
ステップＦ１０８ではコンピュータ２０は、読み込まれた提示情報のうちでコンテンツＩＤが存在したか否かを確認する。
コンテンツＩＤが記録されていなかった場合は、ステップＦ１０９で表示部１１にコンテンツ選択画面として、購入可能なコンテンツのメニュー、及び選択を求める表示を行う。
コンピュータ２０はこのステップＦ１０９の表示を行いながらユーザーの選択操作を待機しており、或るコンテンツの選択操作が行われたらステップＦ１１０からＦ１１１に進む。そして選択操作内容を判別して特定のコンテンツが選択されたと設定する。
【００８１】
一方、コンテンツＩＤが記録されていた場合は、ステップＦ１０８から直接ステップＦ１１１に進む。そして、そのコンテンツＩＤで示される特定のコンテンツが選択されたと設定する。
【００８２】
続いてステップＦ１１２で課金処理を行う。即ちステップＦ１１１で選択設定されたコンテンツの代金を表示部１１でユーザーに提示し、その料金の投入を求める。そしてユーザーがコイン又はプリペイドカードの投入することを待ち、投入があったらコイン処理部３０又はプリペイドカード処理部３１に所要の課金処理を実行させる。
【００８３】
なお、この課金処理の際も、ユーザーがキャンセル操作を行うこともできるようにする。そしてユーザーがキャンセル操作を行った場合、もしくは料金投入が行われないまま所定時間経過した場合は、課金処理ＮＧとしてステップＦ１１３からステップＦ１１４に進み、ユーザーが挿入したディスク９０を返却する。つまりディスク搬送機構２２に、その時点でディスクドライブ２４に装填されているディスク９０をディスク排出部１３に搬送するように指示する。
そして▲１▼として示すように、処理を終了してステップＦ１０１に戻る。
【００８４】
料金投入が適正に行われ、課金処理ＯＫとなったら、処理はステップＦ１１３からＦ１１５に進む。
ここでコンピュータ２０は、選択設定されたコンテンツが記録されているディスク９０が、ディスクストッカ２３に有るか否かを確認する。つまり在庫確認である。
該当するディスク９０がディスクストッカ２３に有れば、コンピュータ２０はステップＦ１１６で、ディスク搬送機構２２を制御してそのディスク９０をディスクストッカ２３から取り出させ、ディスク排出部１３に搬送させる。即ちこれによってユーザーは所望のコンテンツが記録されたディスク９０を受け取ることができる。この場合ユーザーにとってはディスク９０が交換されたことになる。
【００８５】
ところがステップＦ１１５で、売り切れなどの事情で該当するディスク９０がディスクストッカ２３にないと判断された場合は、コンピュータ２０はステップＦ１１７に進み、ディスクストッカ２３から未ダウンロードディスクを取り出してディスクドライブ２４に装填させるようにディスク搬送機構２２を制御する。
なお、この時点ではユーザーが挿入したディスク９０がディスクドライブ２４に装填されているため、予めディスク搬送機構２２にそのディスク９０をディスクドライブ２４から退避させるようにする。例えばディスクストッカ２３もしくはディスク搬送機構２２内などに退避用の収納部を設けておいて、そこに移動させればよい。
ディスクドライブ２４に未ダウンロードディスクが装填されたら、コンピュータ２０はディスクドライブ２４に記録動作指示を行うとともにＨＤＤ２１に格納してあるコンテンツデータを供給し、装填されたディスク９０に対して、該当するコンテンツをダウンロード記録させる。
なお、この場合のコンテンツの記録も、そのディスク９０に記録されたポインタによって示される位置に実行させる。
【００８６】
またステップＦ１１８では、コンテンツのダウンロード記録に応じて、そのディスク９０のファイル管理情報（図２参照）を更新し、コンテンツがユーザーサイドの機器で再生できるようにする。
さらにステップＦ１１９で、ディスク９０の履歴情報（ダウンロード回数情報）を更新（インクリメント）するとともに、ポインタの値を、次回のダウンロード時の書込位置アドレスを示す値に更新する。
【００８７】
このステップＦ１１７，Ｆ１１８，Ｆ１１９の処理で、ユーザーが求めるコンテンツが、或る未ダウンロードディスクにダウンロードされたことになる。そしてコンピュータ２０はステップＦ１２０で、ディスク搬送機構２２を制御してそのディスク９０をディスクドライブ２４から取り出してディスク排出部１３に搬送させる。即ちこれによってユーザーは所望のコンテンツが記録されたディスク９０を受け取ることができる。ユーザーにとっては挿入したディスクと交換されたディスクを受け取ることになる。
【００８８】
この時点で、ユーザーが最初に挿入したディスクはディスクドライブ２４（もしくは退避用の収納部）に残されている。
このディスクに対する処理がステップＦ１２１以降行われる。
まず、ステップＦ１０４で読み込んでおいたそのディスク９０の提示情報において、履歴情報、即ち過去のダウンロード回数情報を確認し、ステップＦ１２１でダウンロード回数が規定回数以上となっているか否かを判断する。
ダウンロード回数が規定回数以上の場合は、そのディスク９０は十分使用されて消耗しており、今後データ記録再生の信頼性が低下すると判断する。
そのためステップＦ１２６に進んで、そのディスクを廃棄ディスクと認定し、ディスクストッカ２３に廃棄ディスクとして収納させる。つまりディスク搬送機構２２によって廃棄ディスクの収納部位に移動させる。そして処理を終えてステップＦ１０１に戻る。
【００８９】
ダウンロード回数が規定回数以上ではない場合は、そのディスク９０はまだ使用できるものと判断する。
そこで処理をステップＦ１２２に進めて（退避用の収納部に置かれている場合はディスクドライブ２４に移動させて）、そのディスク９０の初期化処理を実行させる。但し、この初期化とは、ダウンロードデータに関する初期化であり、当然ながらダウンロード回数は書き換えない。
【００９０】
ダウンロードデータの初期化（消去）を終えたら、ステップＦ１２３で、補充の必要なコンテンツが有るか否かを判断する。即ちディスクストッカ２３にストックされているディスクであって、或るコンテンツが記録されているディスクとして残り少なくなっているものが有るか否かを判断する。
どのコンテンツのディスクも十分に在庫が有れば、ステップＦ１２７でディスク搬送機構２２を制御して、ダウンロードデータを初期化したディスクを、未ダウンロードディスクとしてディスクストッカ２３に収納させる。そして処理を終えてステップＦ１０１に戻る。
【００９１】
ところが、或るコンテンツを記録したディスクとしての在庫が少なくなっていた（もしくは在庫無し）場合は、ステップＦ１２４で、そのコンテンツを記録したディスク９０を作成する。つまり、ディスクドライブ２４に記録指示及び補充が必要なダウンロードデータを供給して、初期化したディスク９０にダウンロードさせる。なおフローチャートには示していないが、このダウンロードの場合も、上記ステップＦ１１８，Ｆ１１９のようなファイル管理情報の更新、履歴情報、ポインタの更新は行われる。
【００９２】
ステップＦ１２４でのダウンロードにより、補充が必要なディスク９０が生成されたら、ステップＦ１２５でディスク搬送機構２２を制御して、そのディスクを、特定のコンテンツが記録されたディスクとしてディスクストッカ２３の所定位置に収納させる。そして処理を終えてステップＦ１０１に戻る。
【００９３】
以上図８から図１０で説明したように情報販売装置１の処理が行われるが、この処理例は一例である。
そしてこの処理例の場合は、ユーザーは図７で説明したうちで所望の手順で所望のコンテンツを入手できることになる。
つまりユーザーの好みに応じてディスク９０に記録された形態で、求めるコンテンツを入手できる。また求めるコンテンツが記録されたディスク９０は、通常はディスクストッカ２３から取り出されてユーザーに提供されるため、ダウンロード等のための待ち時間なく即座に入手できることになる。
【００９４】
またこの処理例の場合、ディスク９０については、ダウンロード回数が規定回数以上として性能劣化のおそれが有ると判断されるまでは、そのディスク自体は何度も繰り返し使用できる。従ってディスクを無駄にすることがないという利点が有るとともに、例えば新聞や雑誌など毎日或いは毎週、データ更新されるようなコンテンツの提供形態として非常に好適なものとなる。
なお、もちろん新聞や雑誌に限らず、音楽、映像、アプリケーションソフトウエアなどのコンテンツが提供される情報販売装置としても利用できることはいうまでもない。
【００９５】
また本例では、表示画面上でのタッチパネル操作方式とすることで、情報販売装置１に多数の操作キー等を配置する必要はなく、端末装置の構成の簡略化が実現できる。
特にタッチパネル操作のための操作キーやメニュー画像を、操作の進行に従って表示していくことで、ユーザーにとって操作をわかりやすいものとできる。
【００９６】
またディスク９０へダウンロードが行われる場合は、ポインタに応じたアドレスへ実行されることになる。このポインタの値がダウンロード実行毎に書き換えられることで、毎回ディスク上の同一領域が用いられてダウンロードが繰り返されることがなくなる。これによってディスク９０の消耗が速まることを防止でき、ディスク９０をより長期にわたって有効利用できる。
また、これに伴ってステップＦ１２１での判別の基準となる規定ダウンロード回数（上限回数）も高く設定できる。
【００９７】
また本例では、ディスクが挿入された場合において、通常は別のディスクがユーザーに提供され、挿入されたディスクは回収されることになるが、その回収されるディスクはステップＦ１２１〜Ｆ１２７の処理により、使用可能なもので有ればストック分として再利用される。特に在庫状況に応じて必要なコンテンツがダウンロードされて補充されることになる。
これにより、ディスクストッカ２３で、或るコンテンツのディスクの在庫がなくなるような事態はあまり発生しないことになり、ステップＦ１１５、Ｆ１３３ではほとんどの場合が肯定結果となる。つまり、ユーザーを待たせながらディスク９０にダウンロードするようなことはあまり発生しない。
【００９８】
ところで処理例としては、さらに多様な例が考えられる。
例えばコンテンツＩＤが記録されていたとしても、ユーザーがコンテンツを選択できるようにする処理例も考えられる。
【００９９】
また、例えば使用されていない際には初期画面を表示しておくとしたが、使用されていない際に初期画面ではない多様な表示を行うことが考えられる。もしくは初期画面としての選択のためのアイコン等とともに多様な画像表示を行うことが考えられる。
例えばスクリーンセーバとして機能するような画像や、各種広告のための画像、設置場所に応じたイメージ画像、デモンストレーション画像などの表示を行うと、より面白味があり、また付加価値の高いシステムとすることができる。場合によっては、広告画像を流すことで、ユーザーに対する料金の無料化などもはかることができる。
【０１００】
さらにダウンロードする内容の一例として、目的のコンテンツのみではなく、広告画像などのデータも一緒にダウンロードさせるようにすることも考えられる。この場合、広告を付加することでダウンロードするコンテンツに対する料金を無料化することも可能となる。
【０１０１】
また情報販売装置１が無料使用できるシステムの場合は、料金投入処理及び課金処理などは実行されないことはいうまでもない。
【０１０２】
以上のように図８から図１０で説明した処理は、情報販売装置１に対してユーザーが購入操作を行った場合の処理となるが、本例では、ユーザーによってこの情報販売装置１が使用されていない期間（待機中）において、図１１のような処理が行われ、ディスクストッカ２３における在庫調整が自動的に行われる。
【０１０３】
待機中には、コンピュータ２０は随時ステップＦ２０１からの処理を開始する。まずステップＦ２０１において、ディスクストッカ２３内の各コンテンツディスク群（或るコンテンツがダウンロードされたディスク群）の在庫数を確認する。即ち、規定在庫数を設定しておき、その規定在庫数に持たないコンテンツディスク群の有無を判別する。
特に在庫の少なくなったコンテンツディスク群がなければ、ステップＦ２０２から処理を終了する。
ところが、在庫が少なくなって補充が必要なコンテンツディスク群が存在した場合は、ステップＦ２０２からＦ２０３に進む。例えば図６のディスクストッカ２３においてＢ新聞としてのコンテンツディスクが残り少ないような場合は、Ｂ新聞のコンテンツディスクを補充する処理を行うことになる。
【０１０４】
まずステップＦ２０３では、ディスクストッカ２３内に未ダウンロードディスク（コンテンツ内容が初期化された状態のディスク）としての在庫が有るか否かを確認する。
未ダウンロードディスクが有れば、ステップＦ２０４に進んで、その未ダウンロードディスクに対して補充の必要なコンテンツ（例えばＢ新聞のデータ）のダウンロードを行う。
つまり、コンピュータ２０は、まずディスク搬送機構２２を制御して未ダウンロードディスクをディスクドライブ２４に装填させる。
そしてディスクドライブ２４に記録指示及び補充が必要なダウンロードデータを供給して、ディスク９０にダウンロードさせる。なおフローチャートには示していないが、このダウンロードの場合も、上述したステップＦ１１８，Ｆ１１９のようなファイル管理情報の更新、履歴情報、ポインタの更新は行われる。
【０１０５】
ステップＦ２０４でのダウンロードにより、補充が必要なディスク９０が生成されたら、ステップＦ２０５でディスク搬送機構２２を制御して、そのディスクを、特定のコンテンツが記録されたディスクとしてディスクストッカ２３の所定位置に収納させる。これによって在庫の少ないコンテンツディスク群にコンテンツディスクが補充されたことになる。そして処理を終える。
【０１０６】
一方、ステップＦ２０３で、ディスクストッカ２３内に未ダウンロードディスクが無いと判断されたら、ステップＦ２０６に進んで、在庫が多量に残っているコンテンツディスク群が有るか否かを確認する。即ち、あまり売れていないコンテンツディスクを探すこととなる。
そのようなコンテンツディスク群が有れば、ステップＦ２０７に進んで、その在庫多量のコンテンツディスクを取り出すことになる。
例えばＥ新聞のコンテンツディスクが多量に残っている場合は、コンピュータ２０は、まずディスク搬送機構２２を制御してＥ新聞のコンテンツディスクをディスクドライブ２４に装填させる。
そしてステップＦ２０７でディスクドライブ２４に対して、そのディスクを初期化する指示を出す。この初期化とは、ダウンロードデータに関する初期化であり、提示情報としてのダウンロード回数などは書き換えない。
【０１０７】
続いてステップＦ２０８で、ディスクドライブ２４に記録指示及び補充が必要なダウンロードデータ（例えばＢ新聞データ）を供給して、ディスク９０にダウンロードさせる。なおフローチャートには示していないが、このダウンロードの場合も、上述したステップＦ１１８，Ｆ１１９のようなファイル管理情報の更新、履歴情報、ポインタの更新は行われる。また、コンテンツＩＤが記録されるディスクの場合は、コンテンツとしての内容が変わったことに応じて、そのコンテンツＩＤも書き換えられる。
【０１０８】
ステップＦ２０８でのダウンロードにより、補充が必要なディスク９０が生成されたら、ステップＦ２０５でディスク搬送機構２２を制御して、そのディスクを、特定のコンテンツが記録されたディスクとしてディスクストッカ２３の所定位置に収納させ、処理を終える。これにより残り少ないコンテンツディスク群に対するコンテンツディスクの補充が完了する。
【０１０９】
ところがステップＦ２０３，Ｆ２０６で、未ダウンロードディスクも、在庫多量のコンテンツディスクもないと判断される場合がある。
そのような場合は、ダウンロードにより補充が必要なディスク９０を生成することができないため、ステップＦ２０９に進んでディスク補充警告を行う。
例えば表示部１１に、店員等の販売スタッフに対する警告表示を行う。もしくは警告音を出力するようにしてもよい。
このような警告に応じて店員等がディスクを補充した後は、必要に応じて図１１の処理により在庫調整が可能となる。
【０１１０】
なお、この図１１の処理においては、補充が必要なディスク９０を生成する処理を、在庫数に応じて複数枚連続して行うようにしてもよい。
また処理例としては各種考えられ、例えば未ダウンロードディスク以外は使用しないようにすることも考えられる。
そして、このように在庫調整が行われることで必要なコンテンツディスクが随時補充され、ディスクストッカ２３で、或るコンテンツのディスクの在庫がなくなる事態、つまり、ユーザーが購入時にダウンロードする時間を待たなければならないような事態の発生は最小限となる。
【０１１１】
またこの場合もステップＦ２０４，Ｆ２０８でダウンロードが行われる場合は、ポインタに応じたアドレスへ実行されることになる。このポインタの値がダウンロード実行毎に書き換えられることで、毎回ディスク上の同一領域が用いられてダウンロードが繰り返されることがなくなる。これによってディスク９０の消耗が速まることを防止できる。
【０１１２】
ところで、情報販売装置１の待機中の処理としては、コンテンツの更新に伴う処理もある。
上述したように、サーバから新たな内容のコンテンツが送信されてくることが随時発生する（例えば日刊の新聞であれば毎日更新される）が、その場合は、ストックされているコンテンツディスクについては全てデータを書き直す（即ち更新データをダウンロードする）必要がある。
このために、サーバから更新データが送信されてきた際は、コンピュータ２０は図１２のステップＦ３０１からＦ３０２に進む処理を行う。
即ち或るコンテンツとしての更新データがＨＤＤ２１に取り込まれた場合、コンピュータ２０は、そのコンテンツが記録されたディスクに対する更新処理に移る。
【０１１３】
例えばＡ新聞の更新データが受信された場合は、ステップＦ３０２で、ディスク搬送機構２２を制御してディスクストッカ２４からＡ新聞のコンテンツディスクを取り出してディスクドライブ２４に装填させる。そして必要で有れば旧コンテンツデータを初期化させたうえで、ディスクドライブ２４に記録指示及び更新データを供給してダウンロードさせる。このダウンロードの場合も、上述したステップＦ１１８，Ｆ１１９のようなファイル管理情報の更新、履歴情報、ポインタの更新は行われる。
【０１１４】
更新のためのダウンロードを終えたらディスク搬送機構２２を制御して、そのディスクを、ディスクストッカ２３の元の所定位置に収納させる。
例えばＡ新聞の全コンテンツディスクに対してこのステップＦ３０２の処理を実行し、ストックされている全てのＡ新聞のコンテンツディスクに対して更新を終了したら、ステップＦ３０３から処理を終えることになる。
【０１１５】
このような処理が待機中に行われることで、毎日或いは毎週など、短いインターバルで更新されるコンテンツにも対応して、ユーザーに最新の情報を提供することができる。
もちろんこの更新のためのダウンロードの場合も、ポインタに応じたアドレスへ実行されることによるディスク消耗防止がはかられる。
【０１１６】
６．ＩＣカード対応型情報販売装置
次に本例の情報販売装置１としてＩＣカード対応型情報販売装置について説明していく。
図１３にＩＣカード対応型情報販売装置１の外観例を、また図１４にＩＣカード対応型情報販売装置１の内部構成を示す。なお、図１３、図１４において、図４、図５で説明したディスク対応型情報販売装置１と同一部分は同一符号を付し説明を省略する。
図１３の情報販売装置１も公衆の使用を前提として店頭などに設置されるもので、例えば通常の公衆電話と類似した外観を備える例としている。
そして、液晶パネルもしくは陰極線管（ＣＲＴ）などを利用した表示部１１では、情報販売装置１の使用の際の各種の画像表示が行われ、また操作キーやメニュー表示が行われることでタッチセンサ３３を利用したタッチ操作が可能とされる。
【０１１７】
この例のＩＣカード対応型情報販売装置に対応するＩＣカードメディアは、ＩＣカード９１もしくはビューワ付ＩＣカード９１Ｖとなる。
情報販売装置１の使用時には、上述してきたディスク対応型の情報販売装置と同様に、ユーザーは所持するＩＣカード９１（もしくはビューワ付ＩＣカード９１Ｖ；以下省略）を装填するか、もしくはＩＣカード９１を装填しないで使用することになる。
このため、ＩＣカード９１を挿入する部位としてカード挿入部１７が設けられている。
またユーザーが、必要なコンテンツデータがダウンロードされているＩＣカード９１を受け取るためにカード排出部１８が設けられる。
【０１１８】
図１４からわかるように、内部構造例は上述のディスク対応型情報販売装置１とほぼ同様となる。つまりディスク対応部位がカード対応部位として異なるものとなり、ＩＣカードインターフェース３２、カードドライブ２６、カードコネクタ部３４、カード搬送機構３５、カードストッカ３６が設けられる。
【０１１９】
カード搬送機構３５は、カード挿入部１７、カード排出部１８、カードストッカ３６、カードコネクタ部３４の間を、コンピュータ２０の指示に応じてＩＣカード９１を搬送できる。
例えばカード挿入部１７にユーザーがＩＣカード９１を差し入れることで、そのＩＣカード９１はカード搬送機構３５によってカードコネクタ部３４に接続される。すると情報販売装置１は、カードドライブ２６によって、そのＩＣカード９１に対して記録再生が可能となる。
同様にカードストッカ３６に収納されているＩＣカードはカード搬送機構３５によってカードコネクタ部３４に接続されることで、カードドライブ２６によって記録再生可能とされ、またカード搬送機構３５によってカード排出部１８に搬送されることで、ユーザーに受け渡される。
【０１２０】
カードストッカ３６は、上記ディスクストッカ２３と同様に各種コンテンツを記録したＩＣカードや、未ダウンロード状態のＩＣカード、或いは廃棄用のＩＣカードなどが収納される。
【０１２１】
カードドライブ２６はＩＣカードインターフェース３２を介してコンピュータ２０と情報の授受を行う。即ちカードドライブ２６は、コンピュータ２０からの記録指令、再生指令、ダウンロードデータの供給をＩＣカードインターフェース３２を介して受けるとともに、再生の際はＩＣカード９１から読み出したデータをＩＣカードインターフェース３２を介してコンピュータ２０に転送する。
【０１２２】
図１４の情報販売装置１は、他の部位は図５と同様とするが、もちろん図５において説明した場合と同様に、構成の変形例は各種考えられる。
【０１２３】
このようなＩＣカード対応型の情報販売装置１でも、ユーザーの使用手順や使用時のコンピュータ２０の処理、待機中のコンピュータ２０の処理は、上述してきたディスク対応型の情報販売装置１と同様となる。
従って動作説明は省略するが、上述したディスク対応型の情報販売装置１の場合と同様の効果が得られるとともに、各種の変形例が考えられる。
そしてさらに、ＩＣカードメディアを用いることによる利点が得られるものとなる。
【０１２４】
即ち、ＩＣカードの場合はダウンロードデータの書込時間が非常に短いものであるため、たとえユーザーを待たせた状態でダウンロードする必要がある場合でも（つまり要求されたコンテンツを記録したＩＣカードの在庫がない場合）、ユーザーの待ち時間はほとんどないものすることができる。
また、ダウンロードが迅速にできるということは、図１１、図１２で説明したような待機中の在庫調整、コンテンツ更新なども迅速に実行できることを意味し、能率のよい動作を実現できる。
【０１２５】
またディスク９０の場合と同様に、ＩＣカード９１へダウンロードは、ポインタに応じたアドレスへ実行されること、及びポインタの値がダウンロード実行毎に書き換えられることで、毎回ＩＣカード上の同一領域が用いられてダウンロードが繰り返されることがなくなる。これによってＩＣカード９１の消耗が速まることを防止でき、より長期にわたって有効利用できる。
また、これに伴って消耗判別の基準となる規定ダウンロード回数（上限回数）も高く設定できる。
【０１２６】
さらにビューワ付ＩＣカード９１Ｖを用いる場合は、ユーザーは再生装置やパーソナルコンピュータを使用せずに、即座にコンテンツ内容を確認できる。
【０１２７】
７．変形例
ところで以上の実施の形態の例では、ディスク９０もしくはＩＣカード９１は図２のように提示情報がデータ形態で記録されている例とした。
しかしながら例えばコンテンツＩＤや、識別コードなどの情報を、例えばデータではなくメディアの形態などにより識別できるようにすることも考えられる。
【０１２８】
例えば図１５（ａ）にはディスク９０のカートリッジ上でコンテンツＩＤが示される例を示している。
いま、情報販売装置がＡ新聞〜Ｅ新聞としてのコンテンツを選択的にダウンロードできるものとすることを考えたときに、その情報販売装置１に対応するディスク９０には図１５（ａ）のような、スライドレバー９４を設ける。
このスライドレバー９４は、そのスライド溝の範囲においてＡ新聞〜Ｅ新聞のそれぞれに対応する位置に、ユーザーが任意にスライドさせることができるようにする。
【０１２９】
情報販売装置１側では、このスライド溝に相当する範囲でどの位置にスライドレバー９４が位置しているかを検出する機構（例えばメカニカルなスイッチ機構や光学的な検出機構）を備えるようにする。
すると、例えば図１５（ａ）の状態のディスク９０が装填された際には、情報販売装置１ではコンテンツＩＤとしてＢ新聞が提示されていることを認識でき、ユーザーのコンテンツ選択操作無しにＢ新聞のコンテンツのダウンロードを実行できる。
【０１３０】
即ちユーザーは、予め自分が購入したいコンテンツに応じてスライドレバー９４の位置を設定しておけばよい。
またこの場合は、コンテンツＩＤを切り換えることも容易であり、例えばその日の気分で購入したいコンテンツを変更したいときなども便利である。
【０１３１】
なお、このようなスライドレバー９４により、より細かいコンテンツ内容を選択できるようにしてもよい。例えば新聞の政治欄、経済欄、スポーツ欄などをスライドレバー９４で選択できるようにして、その選択された欄の内容のみがダウンロードされるようにすることもできる。
この際のコンテンツとしての例えば新聞の選択は、その提示情報として書き込まれているコンテンツＩＤ、もしくは入力操作に応じて行われるようにすればよい。もちろんスライドレバー９４を、新聞の選択用と、欄の選択用に２つ設けてもよい。
さらに、例えばスライドレバー９４の位置に対応するコンテンツＩＤ等をメディア内のＲＡＭ領域にデータとして記憶しておくようにし、ダウンロード装置１側では、そのデータとスライドレバー９４の位置を対応させて、あるコンテンツを選択設定するようにしてもよい。このようにすると、スライドレバー９４の位置に対応するデータを書き換えることで、選択肢を変更させることができる。
例えば上記のようにＡ新聞〜Ｅ新聞という選択肢内容を、Ａ新聞、Ｃ新聞、Ｆ新聞、Ｇ新聞、Ｈ新聞というように変更することも可能となる。
【０１３２】
また図１５（ｂ）は、例えば特に詳しく知りたい情報内容をユーザーがスライドレバー９４で選択できるような構成例である。
例えばこの図１５（ｂ）のディスク９０は、Ａ新聞専用のディスクとされているとする。即ちコンテンツＩＤとしてＡ新聞が指定されているとする。
ここで、スライドレバー９４は、より詳しく知りたい内容を指定するものとして機能し、例えば政治、経済、スポーツ、社会、文化などの内容を選択できるようにする。
するとダウンロードの際には、Ａ新聞としての全情報がダウンロードされることに加えて、特にスライドレバー９４で指定した内容についての、より詳しい記事内容がダウンロードされるようにするものである。より詳しい記事内容としては、例えばそのような詳細情報を予め用意しておいてもよいし、或いは他紙の該当欄の情報を加えるようにしてもよい。例えば図１５（ｂ）の状態の場合は、Ａ新聞の全情報に加えて、より詳しい経済情報が付加されてダウンロードされることになる。
また上記のようにスライドレバー９４の対応データを書き換えて選択肢内容を変更できるようにしてもよい。
【０１３３】
また対応メディア識別コードを、カートリッジの所定の形状で提示してもよい。さらに、カートリッジもしくはメディア自体の外形形状が特殊な形とされ、それ以外の記録媒体が情報販売装置１に装填できないような場合は、対応メディア識別コードが不要となる場合もあり得る。
【０１３４】
なお、以上のような各例はＩＣカードの場合も当然適用できる。つまりカード筐体に、レバースイッチや検出孔を設けたり、通常のＩＣカードとは異なる特殊な形状とすることが考えられる。
【０１３５】
また、上記例の情報販売装置１は、図１で説明したとおりサーバ２と通信可能なものとしているが、通信ネットワーク接続されない情報販売装置１も考えられる。
【０１３６】
以上、本発明としての変形例を述べたが、処理や構成上の変形例はさらに多様に考えられる。
【０１３７】
【発明の効果】
以上の説明から理解されるように、本発明は次のような各効果を有する。
本発明によれば、ユーザーが欲するコンテンツを記録した記録媒体がユーザーに販売されるような形態の情報販売装置を実現できる。即ち、一般公衆が利用できる自動販売機のような形態での情報販売装置を実現し、不特定多数の人が任意に使用して所望のコンテンツがダウンロードされた記録媒体を入手（購入）できるようにすることができる。これにより多数の人が例えば電子新聞や電子雑誌などの情報サービスを享受できるようになる。
またコンテンツの選択は、ユーザーが挿入した記録媒体のコンテンツ識別情報に基づいて行われるため、ユーザーの選択操作は不要となり、使用性のよいものとなる。
さらに通常は、設定手段で設定されたダウンロードデータ（コンテンツ）が既に記録されている記録媒体をストックされている記録媒体の中からとりだして排出させる動作を行うことになるため、ユーザーが記録媒体を挿入した場合であれば記録媒体が交換されることになり、この場合は、ユーザーが挿入した記録媒体をその後利用でき、また記録媒体自体の代金は不要となるためユーザーに要求する対価を安く設定できる。
そして、さらにこのような交換方式であることから、ユーザーはダウンロード実行する時間を待つことなく必要なコンテンツが記録された記録媒体を受け取ることができる。従って、非常に迅速に必要な情報を購入することができるという大きな利点が得られる。
【０１３８】
さらに、記録媒体のコンテンツ識別情報が検出できない場合は、ユーザーの操作に応じて或るコンテンツが選択設定されるため、ユーザーのニーズに応じてフレキシブルに対応できるという利点がある。
【０１３９】
さらに、ユーザーが記録媒体を挿入しない場合、即ち装着部に記録媒体が装着されていない状態においては、ユーザーの入力操作に応じてダウンロードデータ（コンテンツ）の選択設定が行われる。そして選択設定されたコンテンツが既に記録されている記録媒体が、ストックされている記録媒体の中からとりだされて排出されるため、ユーザーが記録媒体を持っていなくても情報販売装置を利用して情報を入手できることになる。
【０１４０】
さらに、ユーザーの求めるコンテンツの判別はデータとして記録されている提示情報としてのコンテンツ識別情報に基づいて行われるため、ユーザーは使用時にコンテンツ選択を意識することなく、例えば毎日同じ新聞を購読するような使用形態が可能となる。
【０１４１】
さらに、ユーザーの求めるコンテンツの判別は記録媒体の外筐に提示された提示情報に基づいて行われるため、ユーザーは使用時にコンテンツ選択を明確に把握できる。またその提示情報がユーザーが可変操作できるもの（例えばスライドレバー）であれば、ユーザーは気分に応じて異なるコンテンツを購入するといったことも容易に可能となる。
【０１４２】
さらに、記録媒体は課金処理が行われた後に排出されるため、有料のシステムとして適切な動作が実現される。
さらに、ダウンロードデータ（コンテンツ）に応じて課金処理されることになるため、ダウンロード装置の使用に際して適切かつ柔軟な料金設定が可能となる。
【０１４３】
さらに、記録媒体が装填された際に記録回数検出手段によって検出される記録（ダウンロード）回数情報に応じて、その回数が所定回数以上であった場合は、その記録媒体の廃棄処理が行われる。つまりその記録媒体に対するダウンロード動作を行うことが適切であるか否かの判断が行なわれ、非常に多数回ダウンロードが行われたことで信頼性が低下したメディアであると判断された場合は、信頼性低下に対応する処理として廃棄されることになる。
【図面の簡単な説明】
【図１】本発明の実施の形態のシステム構成の説明図である。
【図２】実施の形態の記録媒体のデータ内容の説明図である。
【図３】実施の形態のビューワ付ＩＣカードの構成のブロック図である。
【図４】実施の形態のディスク対応型情報販売装置の外観例の説明図である。
【図５】実施の形態のディスク対応型情報販売装置のブロック図である。
【図６】実施の形態のディスク対応型情報販売装置のディスクストッカの説明図である。
【図７】実施の形態のディスク対応型情報販売装置に対する使用手順の説明図である。
【図８】実施の形態のディスク対応型情報販売装置の処理のフローチャートである。
【図９】実施の形態のディスク対応型情報販売装置の処理のフローチャートである。
【図１０】実施の形態のディスク対応型情報販売装置の処理のフローチャートである。
【図１１】実施の形態のディスク対応型情報販売装置の待機中の処理のフローチャートである。
【図１２】実施の形態のディスク対応型情報販売装置の待機中の処理のフローチャートである。
【図１３】実施の形態のＩＣカード対応型情報販売装置の外観例の説明図である。
【図１４】実施の形態のＩＣカード対応型情報販売装置のブロック図である。
【図１５】実施の形態の記録媒体の変形例の説明図である。
【符号の説明】
１  情報販売装置、２  サーバ、１１  表示部、１２  ディスク挿入部、１３ディスク排出部、１７  カード挿入部、１８  カード排出部、２０  コンピュータ、２１  ハードディスクドライブ、２２  ディスク搬送機構、２３  ディスクストッカ、２４  ディスクドライブ、２５  表示ドライバ、２６  カードドライブ、２７  ＬＡＮインターフェース、２９  モデム、３０  コイン処理部、３１  プリペイドカード処理部、３２  ＩＣカードインターフェース、３３  タッチセンサ、３４  カードコネクタ部、３５  カード搬送機構、３６  カードストッカ、９０  ディスク、９１  ＩＣカード、９１Ｖ  ビューワ付ＩＣカード
【図１】
0004174854.tif 000002
【図２】
0004174854.tif 000003
【図３】
0004174854.tif 000004
【図４】
0004174854.tif 000005
【図５】
0004174854.tif 000006
【図６】
0004174854.tif 000007
【図７】
0004174854.tif 000008
【図８】
0004174854.tif 000009
【図９】
0004174854.tif 000010
【図１０】
0004174854.tif 000011
【図１１】
0004174854.tif 000012
【図１２】
0004174854.tif 000013
【図１３】
0004174854.tif 000014
【図１４】
0004174854.tif 000015
【図１５】
0004174854.tif 000016